【事件の表示】
　特許第３１２００５７号「呼び出し表示装置」の請求項１ないし４に係る特許に対する特許異議の申立てについて、次のとおり決定する。
【結　論】
　訂正を認める。
　特許第３１２００５７号の請求項１ないし４に係る特許を維持する。
【理　由】
１． 手続の経緯
　特許第３１２００５７号の請求項１乃至９に係る発明は、平成９年７月２２日（優先権主張平成９年４月２１日）の特許出願に係り、平成１２年１０月１３日に特許権の設定登録がなされ、その後、この請求項１乃至４に係る発明の特許に対し、平成１３年５月３０日に、特許異議申立人松下電工株式会社により特許異議の申立てがなされ、当審において取消しの理由が通知され、その指定期間内である平成１３年１１月１３日に訂正請求（後日取下）がなされた後、再度取消しの理由が通知され、その指定期間内である平成１４年７月９日に訂正請求（請求項１乃至４および請求項７乃至９）がなされたものである。
　
２． 訂正の可否
（１） 訂正を求める事項
　特許権者は、願書に添付した明細書（以下、「特許明細書」という。）について、特許請求の範囲の減縮（訂正事項１〜３）、誤記の訂正（訂正事項４〜７、１１〜１５、１７）、明りょうでない記載の釈明（訂正事項８〜１０、１６）を目的として以下の訂正を求めている。
（訂正事項１）請求項１を下記の通り訂正する。
【請求項１】　それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、
前記送信器の台数よりも少ない
し、しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示
（訂正事項２）請求項２を下記の通り訂正する。
　　【請求項２】　それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、
前記送信器の台数よりも少ない
しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示し、
（訂正事項３）請求項３を下記の通り訂正する。
　　【請求項３】　それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、
前記送信器の台数よりも少ない
しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示し、
（訂正事項４）請求項４を下記の通り訂正する。
　　【請求項４】　請求項１ないし３記載のいずれかの呼び出し表示装置において、前記複数の主標識表示手段に対応させてそれぞれ異なる主取消コードを含む信号を操作により送出する複数の主取消スイッチを有する取消器を備え、
前記
前記
前記
前記
（訂正事項５）請求項７を下記の通り訂正する。
　　【請求項７】　請求項５記載の呼び出し表示装置において、前記副標識表示手段および副受付順位表示手段のスクロール表示が停止されている状態で、
前記
前記
前記
（訂正事項６）請求項８を下記の通り訂正する。
　　【請求項８】　請求項５または６記載の呼び出し表示装置において、
前記
前記
（訂正事項７）請求項９を下記の通り訂正する。
　　【請求項９】　請求項６記載の呼び出し表示装置において、
前記
前記
（訂正事項８）段落【０００５】を下記の通り訂正する。
　　【０００５】
　【課題を解決するための手段】
　かかる目的を達成するために、本発明の呼び出し表示装置は、それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、
前記送信器の台数よりも少ない
し、しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示
（訂正事項９）段落【０００６】を下記の通り訂正する。
　　【０００６】
　また、本発明の呼び出し表示装置は、それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、
前記送信器の台数よりも少ない
しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示し、
（訂正事項１０）段落【０００７】を下記の通り訂正する。
　　【０００７】
　また、本発明の呼び出し表示装置は、それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、
前記送信器の台数よりも少ない
しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示し、
（訂正事項１１）段落【０００８】を下記の通り訂正する。
　　【０００８】
　さらに、前記複数の主標識表示手段に対応させてそれぞれ異なる主取消コードを含む信号を操作により送出する複数の主取消スイッチを有する取消器を備え、
前記
前記
前記
前記
（訂正事項１２）段落【００１１】を下記の通り訂正する。
　　【００１１】
　そしてまた、前記副標識表示手段および副受付順位表示手段のスクロール表示が停止されている状態で、
前記
前記
前記
（訂正事項１３）段落【００１２】を下記の通り訂正する。
　　【００１２】
　またさらに、
前記
前記
（訂正事項１４）段落【００１３】を下記の通り訂正する。
　　【００１３】
　さらに、
前記
前記
（訂正事項１５）段落【００１４】を下記の通り訂正する。
【発明の実施の形態】
　以下、本発明の一実施例を図１ないし
図１１
図１０は、図１に示す受信器の主標識表示手段および主受付順位表示手段の表示動作の一例を示すフローチャートである。図１１は、図１に示す受信器の副標識表示手段および副受付順位表示手段の表示動作の一例を示すフローチャートである。
（訂正事項１６）段落【００３１】を下記の通り訂正する。
　請求項１記載の呼び出し表示装置にあっては、サービスが要求されて主標識表示手段に表示された標識は、サービスが提供されて消されるまで、その表示位置が移動せずに対となる主受付順位表示手段に表示される受付順位のみが変化するので、読み取りが容易であるとともに、その記憶も容易である。
（訂正事項１７）段落【００３２】を下記の通り訂正する。
　　【００３２】
　請求項２記載の呼び出し表示装置にあっては、サービスが要求されて主標識表示手段に表示されていない標識データが、１つの副標識表示手段によりスクロール表示されるの
で、
　
（２） 訂正可否の判断
（ｉ）訂正の目的の当否、特許請求の範囲の拡張または変更の有無について
　訂正事項１〜３は、複数対の主標識表示手段および主受付順位表示手段の数を、「前記送信器の台数よりも少ない」と限定するとともに、信号処理手段が、特許明細書の請求項１〜３に記載された機能のほかに、「主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示」するという機能を有することを付加して信号処理手段を限定して特定するものであるから、訂正事項１〜３は、特許請求の範囲の減縮を目的としているものと認められる。
　訂正事項４〜７、１１〜１４は、特許明細書の請求項４、７、８および９、ならびに、段落【０００８】、【００１１】、【００１２】および【００１３】に「前期」とあるのを、「前記」と訂正しようとするものであるが、「前期」が「前記」の誤記であることは、文脈からして明らかであるから、訂正事項４〜７、１１〜１４は、誤記の訂正を目的としたものであると認められる。
　訂正事項１５は、特許明細書の段落【００１４】に「図１ないし図１０を参照して説明」とあるのを、「図１ないし図１１を参照して説明」と訂正しようとするものであるが、同段落【００１４】に、「図１１は、…フローチャートである。」という記載があることからして、訂正事項１５は、誤記の訂正を目的としたものであると認められる。
　訂正事項１７は、「表示されるので、、」とあるのを、「表示されるので、」と、読点を削除するものであり、明らかに、誤記の訂正を目的としている。
　訂正事項８〜１０は、訂正事項１〜３により、請求項１〜３を訂正することに伴い、特許明細書中の課題を解決するための手段の項における、請求項１〜３に対応する箇所（段落【０００５】、【０００６】、【０００７】）を、請求項１〜３の訂正内容に合わせて訂正しようとするものであり、明りょうでない記載の釈明を目的としている。
　また、訂正事項１６は、訂正事項１により、請求項１を訂正することに伴い、特許明細書中の発明の効果についての記載（段落【００３１】）を、請求項１の訂正内容に合わせて訂正しようとするものであり、明りょうでない記載の釈明を目的としている。
　さらに、訂正事項１〜１７は、実質上特許請求の範囲を拡張するものでもなく、また、特許請求の範囲を変更するものでもない。
　
（ii）新規事項の有無について
　訂正事項１〜３において、受信器に、「送信器の台数よりも少ない」複数対の主標識表示手段および主受付順位表示手段を設ける点は、特許明細書の（イ）「ステップ６で主記憶装置２０ａ、２０ｂ、２０ｃ、２０ｄに空きがないと判別すると、副記憶手段２２ａ、２２ｂ…の空きに標識データ等を記憶し（ステップ８）、ステップ２に戻る。」（段落【００２３】）、（ロ）「副記憶手段２２ａ、２２ｂ…に記憶された標識データがあればそのなかで最も早い受付順位の標識データ等を空いた主記憶手段に移転記憶させ（ステップ１３）、ステップ２に戻る。」（段落【００２４】）および（ハ）「さらに、主標識表示手段２６ａ、２６ｂ、２６ｃ、２６ｄに表示されない標識は、副受付順位表示手段３０と副標識表示手段３２によりスクロール表示がなされ、サービスが要求されている標識が全てその受付順位とともに表示される。」（段落【００２６】）という記載から、直接的かつ一義的に導き出されるものであるし、
　信号処理手段は、「しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示するように」構成する点については、上記記載（イ）ならびに（ニ）「消去された標識データよりも受付順位の遅い標識データが有れば、それらの受付順位を１つづつ繰り上げ（ステップ１２）、副記憶手段２２ａ、２２ｂ…に記憶された標識データがあればそのなかで最も早い受付順位の標識データ等を空いた主記憶手段に移転記憶させ（ステップ１３）、ステップ２に戻る。」（段落【００２６】）、（ホ）「主標識表示手段２６ａ、２６ｂ、２６ｃ、２６ｄに表示された標識は１度表示されると消されるまでその表示位置が変化せず、受付順位のより早い標識が消されると対となる受付順位のみが変化する。」（段落【００２６】）および（ヘ）「主標識表示手段に表示されていない標識があれば、そのうちの最も早い受付順位の標識およびその受付順位を前記表示が消された前期主標識表示手段および主受付順位表示手段に表示するように構成することもできる。」（段落【０００８】）という記載から、直接的かつ一義的に導き出されるものである。
　したがって、上記訂正事項１〜３は、特許明細書に記載した事項の範囲内においてなされたものである。また、訂正事項８〜１０、１６も、同じ理由から、特許明細書に記載した事項の範囲内においてなされたものである。
　さらに、訂正事項４〜７、１１〜１５、１７は、明白な誤記の訂正であり、これらの訂正は、願書に最初に添付した明細書に記載した事項の範囲内においてなされたものである。
　
（iii）独立特許要件の具備について
　訂正事項５〜７は、異議の申立てがなされていない請求項７〜９についての訂正であって、誤記の訂正を目的とするものであるので、いわゆる独立特許要件を具備しているかどうかについて判断する。
　訂正後の請求項７〜９に係る発明は、請求項２を引用する従属項をさらに引用するもので、受信器に、「送信器の台数よりも少ない複数対の主標識表示手段および主受付順位表示手段」を設け、信号処理手段は、「主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示する」ように構成する点を、発明を特定する事項として含むものであるが、特許異議申立人により提示された刊行物には、この点について何ら記載がなされていないし、この点を示唆する記載もない。したがって、請求項７〜９に係る発明は、上記刊行物に記載された発明であるとも、これらの発明に基いて当業者が容易に発明をすることができたものであるとも言うことができない。また、他に、請求項７〜９に係る発明について、特許を受けることができない理由を発見できない。
　したがって、訂正後の請求項７〜９に係る発明は、特許出願の際独立して特許を受けることができるものである。
　
（iv）むすび
　したがって、上記訂正は、特許法第１２０条の４第２項及び同条第３項の規定により準用する同法第１２６条第２項から第４項の規定に適合するので、当該訂正を認める。
　
３．本件訂正後の請求項１乃至４に係る発明
　本件訂正後の請求項１乃至４に係る発明（以下、「本件発明１乃至４」という。）は、訂正明細書の特許請求の範囲１乃至４に記載された事項により特定されるとおりのものである（上記２．（１）参照。）。
　
４． 異議申立ての理由
　異議申立人は、甲第１号証（特開平８−２９７７８２号公報）、甲第２号証（特開平８−１１５４７７号公報）、甲第３号証（特開昭５９−６４８９８号公報）及び甲第４号証（特開昭６０−２０７１９１号公報）を提示し、（ａ）請求項１に係る発明は、甲第１及び第２号証刊行物に記載された発明に基いて、（ｂ）請求項２に係る発明は、甲第１乃至第３号証刊行物に記載された発明に基いて、（ｃ）請求項３に係る発明は、甲第１、第２及び第４号証刊行物に記載された発明に基いて、（ｄ）請求項４に係る発明は、甲第２及び第３号証刊行物に記載された発明に基いて、それぞれ、当業者が容易に発明することができたものあり、特許法第２９条第２項の規定により特許を受けることができないものであるから、特許を取り消すべきであると主張している。
　
５． 当審において通知した取消理由の概要
（１） 請求項１に係る発明は、刊行物１（甲第１号証）および刊行物２（甲第２号証）に記載の発明に基づいて、請求項２に係る発明は、上記刊行物１（甲第２号証）、刊行物２（甲第２号証）および刊行物３（甲第３号証）に記載の発明に基づいて、請求項３に係る発明は、上記刊行物１（甲第１号証）、刊行物２（甲第２号証）および刊行物４（甲第４号証）に記載の発明に基づいて、それぞれ、当業者が容易に発明をすることができたものであるから、請求項１ないし３に係る発明は、特許法第２９条第２項の規定に違反して特許されたものである（上記異議申立ての理由（ａ）乃至（ｃ）に同じ。）。
（２）請求項１乃至４に係る特許は、特許法第３６条第６項第２号に規定する要件を満たしていない特許出願に対してされたものである。
　
６． 各刊行物記載の発明
　当審において通知した刊行物１乃至４（甲第１乃至第４号証）には、それぞれ、以下のように記載されている。（以下、これらの刊行物に記載された発明を「引用発明１乃至４」という。」
　
刊行物１
（イ）「複数のワイヤレス発信器から送出されるＩＤコードを付加した呼出制御信号をワイヤレス受信器で受信する毎に、ワイヤレス受信器に付加した表示器に表示される表示内容を更新する基本動作をなし、これによって予めワイヤレス発信器に対応した表示データを呼出した順序に従って、表示器の表示窓に整列表示する構成としたワイヤレスコールシステムにおいて、
　上記ワイヤレス受信器は、
　ワイヤレス発信器から送出される呼出制御信号を受信復調する受信回路部と、
　ワイヤレス発信器に割り当てたＩＤコードに対して、予め表示データを対応させて登録したＩＤコード／表示データ登録テーブルと、
　上記ワイヤレス受信回路部で受信した呼出制御信号の受信順位を表す受信順位データを、ワイヤレス発信器に割り当てたＩＤコードに対応して、書換え可能に格納するようにした呼出表示処理メモリと、
　上記ワイヤレス受信回路部によって受信復調された呼出制御信号からＩＤコードを解読し、解読したＩＤコードに対応する受信順位データを、上記呼出表示処理メモリに書込んで呼出表示処理メモリを更新するとともに、
　上記ＩＤコード／表示データ登録テーブルを参照しながら、更新された呼出表示処理メモリの内容を上位のアドレスから順次読出して、ワイヤレス発信器の表示データに受信順位データを付加して表示処理データを生成する呼出表示処理回路と、
　上記表示処理データを解読し、受信順位データに従って表示データを整列させる表示データ整列処理部と、
　整列された上記表示データを、表示器の表示窓に整列表示する表示制御部とにより構成されることを特徴とするワイヤレスコールシステム。」（請求項１）
（ロ）「本発明は、ワイヤレスコールシステム及び表示ユニットの改良に係り、更に詳しくは、飲食店等において、各座席に設置されたワイヤレス発信器から発信されたサービスの要求を呼出順に表示して店員に知らせる場合などに好適に使用されるワイヤレスコールシステム及び表示ユニットの改良に関する。」（段落【０００１】）
（ハ）「このＩＤコード／表示データ登録テーブル２３の一例を図２に示す。このテーブルの各アドレス又は所定の大きさを有する各領域には、ＩＤコードと表示データが対応づけられて格納されている。
　上記呼出表示処理メモリ２４には、各ワイヤレス発信器１に割り当てたＩＤコードが予め格納されており、このＩＤコードに対応する受信順位データを格納可能な記憶手段として構成とされる。」（段落【００４４】）
（ニ）「この呼出表示処理メモリ２４の一例を図３に示す。このメモリは、従来のシステムと異なり、呼出制御信号の受信の有無に関わらず、全てのワイヤレス発信器のＩＤコードが予め格納されており、呼出制御信号を受信する毎に、呼出順位データが更新される。この図では、最初に呼出制御信号が受信されたワイヤレス発信器のＩＤコード「１０１０」が受信順位データ「１」、次に呼出制御信号が受信されたワイヤレス発信器のＩＤコード「０１００」が受信順位データ「２」に対応しており、その他の受信順位データ「０」は呼出制御信号を受信していないことを示している。」（段落【００４５】）
（ホ）「請求項２に記載した本発明によるワイヤレスコールシステムでは、ワイヤレス発信器が、ＩＤコードとともに、表示器の表示窓を特定する窓特定信号を送出し、ワイヤレス受信器が、窓特定信号によって特定された表示窓にその表示データを表示することができる。
　従って、ワイヤレス発信器による表示窓の指定を行うことができるので、緊急時やＶＩＰ仕様に好適なワイヤレスコールシステムを提供することができる。」（段落【００８５】）
　
刊行物２
（イ）「互いに異なる識別データを含む無線信号を押釦スイッチよりなる呼びスイッチの操作毎に送信する複数台の発信器と、各発信器からの無線信号を受信すると識別データとの対応関係があらかじめ設定されている識別番号を表示部に表示する受信器とを備えるサービスコールシステムにおいて、識別番号を各別に表示する表示手段を複数配列して設置した表示部と、表示部で表示される識別番号が常に昇順で配列されるように各表示手段を制御するとともに、識別番号が表示されている発信器中、１番目に無線信号が受信された発信器の識別番号に対応する表示手段の表示状態と他の識別番号を表示している表示手段の表示状態とが区別可能なように各表示手段を制御する表示制御手段とを受信器に備えたことを特徴するサービスコールシステム。」（請求項１）
（ロ）「使用する全ての発信器１の識別データと識別番号の関係の登録が終了し、再度登録スイッチＳＷ1 を押し操作すると、信号処理部２０は受信器２の動作モードを通常モードに戻す。同時に登録された発信器１の数を判定してその数が表示部位３１の数以下であれば、図５（ａ）に示すように１対１で各発信器１の識別番号を表示する表示部位３１を割り当て、各発信器１の識別番号の表示位置を固定する固定制御モードを設定し、また発信器１の数が表示部位３１の数を上回る場合には上段の左端の表示部位３１から右端の表示部位３１へ、更に下端の左端の表示部位３１から右端の表示部位へ図５（ｂ）に示すように順次配列表示を行う可変制御を設定し、以後設定した制御モードにより表示制御を行う。尚図５の表示部位内の数字は表示されている識別番号を示す。」（段落【００２３】）
（ハ）「この表示部２７の何れかの表示部位３１で表示されている識別番号の発信器１に対応する処理が終了してその識別番号を消去したい場合には、厨房に設けた消去用発信器１の各表示部位３１に１対１で設けた１’の対応する操作スイッチＳ1 …を操作すればよい。
　つまりこの操作により消去用発信器１’からは当該発信器の識別データと消去させたい識別番号の表示窓３１のコードとが無線信号で送信され、この無線信号を受信した受信器１では識別データが消去用発信器１’であることから、コードに対応する表示部位３１の表示器２７ａに対して消灯制御を行う。この場合消去する識別番号が表示されていた表示部位３１が現在表示中の表示部位３１の最後尾である場合には対応する表示器２７ａを消灯状態にするが、右隣の表示部位３１で識別記号が表示されている場合には信号処理部２０は左詰めの表示送りの制御を行って昇順表示状態を維持する。勿論表示部位３１と発信器１とを１対１で割り当てた固定制御の場合には対応する表示部位３１で表示されている識別番号を消灯するのみとなる。」（段落【００２５】）
（ニ）「（実施例２）上記実施例１では、識別番号が表示中の発信器１の中で１番目に呼び発信した発信器１を区別するための表示を行うとともに、一番新しく呼び発信した発信器１に対しても一定時間区別する表示を行うようにしているが、本実施例は表示部位３１に発信順を示す数字を示す表示器２７ｄを図６に示すように付加し、表示を変更する場合に、信号処理部２０は表示する各識別番号の発信器１の呼び発信の順位をチェックして、夫々の発信器１の発信順位を当該発信器１の識別番号を表示している表示部位３１の表示器２７ｄにて表示するようにしたものである。」（段落【００２９】）
（ホ）「尚本実施例は表示部２７の各表示部位３１に表示器２７ｄを追加して発信順位を数字で示すようにした点が実施例１と異なるが、その他の回路構成及び動作は実施例１と同じであるため回路構成の図示及び説明は省略する。
（実施例３）…以下に説明する。」（段落【００３０】）
　
刊行物３
（イ）「この発明は、レストラン、喫茶店等において、サービスを要求中の座席（テーブル）の標識（番号、アルファベット等）を店員に知らせる標識表示装置に関する。」（第２頁左下欄第２０行〜右下欄第３行）
（ロ）「レストランの多数の座席上に各々載置される複数個の信号発生器１１は…、客が表示スイッチ１２を押して作動させると、アンテナ１３から各々個有周波数ｆの送信信号ＳＧ１を出力する。…内蔵された乾電池で作動する。
　その送信信号ＳＧ１は、第３図に示す受信装置１４のアンテナ１５に入力され、受信装置１４により増幅されて個有周波数の受信信号ＳＧ２が出力される。その受信信号ＳＧ２は符号化回路（エンコーダ）１６に入力され、符号化回路１６は個有周波数ｆに対応する８ビットのＢＣＤ（２進化１０進）符号からなる表示ディジタル符号ＳＧ３を出力する。」（第３頁左上欄第１９行〜右上欄第１２行）
（ハ）「ｍ個の記憶回路２０はデータを記憶する順序が決められ、表示部２１に直接データが出力されるｎ個の記憶回路２０に優先的にデータを記憶させる。さらに、そのｎ個の記憶回路２０も優先的にデータが記憶される順序が決められ、また、残りの（ｍ−ｎ）個の記憶回路２０も優先的にデータが記憶される順序が決められる。」（第４頁右下欄第１０〜１６行）
（ニ）「このようにして、次々に表示スイッチ１２が作動されると、符号化回路１６により作動された表示スイッチ１２に対応する表示ディジタル符号ＳＧ３が次々に出力され、信号処理装置３１は、表示ディジタル符号ＳＧ３をその入力順序に従って順次配列記憶し、」（第５頁左上欄第１２〜１７行）
（ホ）「標識表示体２３は、信号処理装置３１に記憶されている表示ディジタル符号ＳＧ３に基づき、各表示スイッチ１２が作動された順序に従って各表示スイッチ１２に対応する標識（座席番号）を、数字表示体２３ａ、２３ｂ、２３ｃ、…２３ｆ、２３ｇ…、２３ｋの順に順次配列表示する。」（第５頁右上欄第２〜８行）
（ヘ）「消去スイッチ２９ａが作動されたとき、その消去スイッチ２９ａに対応する標識（座席番号）を消去し、その消去された標識以外の表示しようとする標識を、前述した表示スイッチ１２が作動された順序に従って順次配列表示し直す。
　実際には、サービスの順からいって、数字表示体２３ａの数字が消去されることになるが、例えば数字表示体２３ｊの数字が消去されると、数字表示体２３ａ〜２３ｉまでの数字はそのまま表示され、数字表示体２３ｋの数字が数字表示体２３ｊに移行し、（ｎ＋１）個目の記憶回路２０に記憶されていた表示ディジタル符号ＳＧ３に基づく数字が数字表示体２３ｋに移行し、数字表示体２３ｌは残りの数字を順次繰り返し表示する。」（第５頁右下欄第１６行〜第６頁左上欄第１０行）
（ト）「また、標識表示体２３の表示部２１の数は座席の数より少なくてもよく、各表示部２１の数字表示体２３ａ〜２３ｋに表示することができなくなっても、追加された１個の表示部２１の数字表示体２３ｌに、残りのすべての座席標識を周期的に表示することができる。」（第６頁右上欄第５〜１０行）
　
刊行物４
（イ）「その目的は店員等のサービスを提供する側の者が、多数の客の番号札又はテーブル等に付された標識を遠隔操作により標識表示体の各表示部上に表示及び消去することができ、以って、サービスの集中管理を容易に行うことができる新規な標識表示装置を提供することにある。」（第２頁右上欄第２〜７行）
（ロ）「入店時に客によって押圧操作される表示スイッチ１２を有する複数の客用信号発生器１１」（第２頁左下欄第１２〜１３行）
（ハ）「客が表示スイッチ１２を押圧操作すると、内蔵したアンテナ１３から各々固有周波数ｆの送信信号ＳＧ１が出力される。なお、各客用信号発生器１１は内蔵された乾電池で作動する。
　前記送信信号ＳＧ１は、…前記標識表示体２３のアンテナ１５を介して受信装置１４に入力され、受信装置１４により増幅されて固有周波数の受信信号ＳＧ２が出力される。その受信信号ＳＧ２は符号化回路（エンコーダ）１６に入力され、符号化回路１６は受信信号ＳＧ２の固有周波数に対応する８ビットのＢＣＤ（２進化１０進）符号からなる表示デジタル符号ＳＧ３を出力する。」（第２頁右下欄第１４行〜第３頁左上欄第１２行）
（ニ）「標識表示体２３の各表示部２３ａ〜２３ｈの数ｎと等しい数の主記憶回路２０の出力は、前記制御装置１９のＲＯＭ１７に内蔵された制御プログラムに従って、各客用信号発生器１１の表示スイッチ１２の入力順序で標識表示体２３内のｎ個の表示回路２１に順次入力される。」（第３頁右上欄第６〜１１行）
（ホ）「制御装置１９はその配列順序に従ってデータが記憶されていない主記憶回路２０（データの内容が全て０である記憶回路）を探す。そして、該当する主記憶回路２０に表示デジタル符号ＳＧ３、ＳＧ７が出力される。」（第５頁右下欄第１４〜１９行）
（ヘ）「次々に表示スイッチ１２あるいは表示キー２９ｂが作動されると、符号化回路１６により変換されたテーブル番号に対応する表示デジタル符号ＳＧ３、ＳＧ７が出力され、制御装置１９、主記憶回路２０及び表示回路２１を介して、標識表示体２３の各表示部２３ａ〜２３ｈには入力順序に従って各テーブル番号が順次配列表示される。」（第６頁左上欄第１２〜１４行）
（ト）「標識表示体２３の表示部２３ａ〜２３ｈの数ｎよりも多い表示スイッチ１２又は表示キー２９ｂが操作されたとき、すなわちオーバーフロー時には、制御装置１９が残りの（ｍ−ｎ）個の副記憶回路２０’からデータが記憶されていない論理０の副記憶回路２０’を探し出し、それらのオーバーフローした表示デジタル符号ＳＧ３、ＳＧ７を入力順序に従って順次出力してそこに記憶させる。これと同時に制御装置１９はランプ駆動回路３７にランプ作動信号ＳＧ９を出力して、最終桁の表示部２３ｈのランプ３６を点滅させる。」（第６頁右上欄第１３行〜左下欄第３行）
　
７． 対比、判断
（ｉ）取消理由（１）について
（イ）本件発明１と引用発明１とを対比すると、両者は、
「それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、複数の標識表示手段と、前記標識データまたはこれに対応したデータを記憶する記憶手段と、信号処理手段とを設け、前記信号処理手段は、前記送信器から送出された前記標識データが未だ前記記憶手段に記憶されていなければこれに受付順位データを付けて前記標識データとともにまたはこれに対応したデータを前記記憶手段に記憶させ、さらに前記記憶手段に記憶されている標識データまたはこれに対応するデータを前記標識表示手段でそれぞれ表示するように構成したことを特徴とする呼び出し表示装置。」
である点（以下、「一致点」という。）で一致しているが、後者においては、標識表示手段だけを設け、信号処理手段を、標識表示手段の特定された箇所に、特定の送信器から送信された標識データを表示するように構成するか（記載（ホ）を参照。）、標識表示手段における標識データの表示位置を受信順位に従って整列させるように構成しており（記載（ロ）等を参照。）、前者における、主標識表示手段および主受付順位表示手段を設け、信号処理手段を「主標識表示手段が設けられた個数までの受付順位の早い標識およびその受付順位を前記主標識表示手段および主受付順位表示手段でそれぞれ表示し、しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示するように」構成する点（以下、「相違点Ａ」という。）を備えていない。
　引用発明２は、表示部位３１（本件発明１における「主標識表示手段」に相当する。以下、この項において、同じ。）および表示器２７ｄ（主受付順位表示手段）を設けるもので、信号処理手段により、表示部位３１（主標識表示手段）に表示された標識は１度表示されると消されるまでその表示位置が変化せず、受付順位のより早い標識が消されると前記表示器２７ｄ（主受付順位表示手段）で表示する対となる受付順位のみが変化するようにしたものであるが、かかる信号処理は、送信器の数が、表示部位３１（主標識表示手段）の数以下の場合において、個々の表示部位３１（主標識表示手段）と一つの送信器とを１対１に対応させて行うものであり（記載（ロ）における固定制御モードに関する説明を参照。）、送信器の数が、表示部位３１（主標識表示手段）の数より多い場合において、主標識表示手段が設けられた個数までの受付順位の早い標識を前記主標識表示手段で表示するようにするとともに、受付順位のより早い標識およびその受付順位の表示が消されると主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示するように信号処理するものではないから、本件発明１とは、信号処理に関する前提（主標識表示手段等に対する送信器の個数の多少）を異にしており、本件発明１における上記相違点Ａを示唆するものではない。
　してみると、本件発明１が、引用発明１及び２に基いて、当業者が容易に発明をすることができたものと言うことはできない。
（ロ）本件発明２と引用発明１とを対比すると、両者は、上記一致点において一致しているが、上記相違点Ａのほか、後者は、前者における「１対の副標識表示手段および副受付順位表示手段」を設け、信号処理手段を「主標識表示手段の個数よりも受付順位の遅い全ての標識およびその受付順位を前記副標識表示手段および副受付順位表示手段で順次にスクロール表示するように構成」する点（以下、「相違点Ｂ」という。）を備えていない。
　引用発明３は、追加された１個の表示部２１の数字表示体２３ｌ（本件発明２における「副標識表示手段」に相当する。以下、この項において同じ。）を備え、信号処理手段を「各表示部２１の数字表示体２３ａ〜２３ｋ（主標識表示手段）の個数よりも受付順位の遅い全ての標識を前記追加された１個の表示部２１の数字表示体２３ｌ（副標識表示手段）で順次にスクロール表示するように構成」したものであり（記載（ト）を参照。）、上記相違点Ｂにおける、スクロール表示に関する部分を教示するものであるが、引用発明３は、標識表示手段だけを設け、信号処理手段を、受信順位に従って表示位置を整列させるように構成したものにすぎず、引用発明２と同様に、上記相違点Ａについては何ら示唆するものではない。
　してみると、本件発明２が、引用発明１乃至３に基いて、当業者が容易に発明をすることができたものと言うことはできない。
（ハ）本件発明３と引用発明１とを対比すると、両者は、上記一致点において一致しているが、上記相違点Ａのほか、後者は、前者における「１つの点灯表示手段」を設け、信号処理手段を、「前記主標識表示手段の個数よりも受付順位の遅い標識データがあれば、前記点灯表示手段を点灯表示するように構成」する点（以下、この点を「相違点Ｃ」という。）を備えていない。
　引用発明４は、ランプ３６（本件発明３における「１つの点灯表示手段」に相当する。以下、この項において、同じ。）を設け、制御装置１９（信号処理手段）により、表示部２３ａ〜２３ｈの数ｎよりも多いオーバーフローした表示デジタル符号ＳＧ３、ＳＧ７（標識表示手段の個数よりも受付順位の遅い標識データ）があれば、前記ランプ３６（点灯表示手段）を点滅（点灯）表示するようにされており、上記相違点Ｃを教示するものであるが、引用発明４も、標識表示手段だけを設け、信号処理手段を、受信順位に従って表示位置を整列させるように構成したものにすぎず、引用発明２と同様、上記相違点Ａを何ら示唆するものではない。
　してみると、本件発明３が、引用発明１、２及び４に基いて、当業者が容易に発明をすることができたものと言うことはできない。
　
（ii）取消理由（２）について、
　取消理由（２）については、上記訂正請求（訂正事項１〜３）により訂正された結果、解消された。
　
（iii）異議理由（ｄ）について
　本件発明４と引用発明２とを対比すると、両者は、「主標識表示手段（引用発明２における「表示部位３１」に相当する。以下、同じ。）および主受付順位表示手段（表示器２７ｄ）を設け、信号処理手段により、主標識表示手段（表示部位３１）に表示された標識は１度表示されると消されるまでその表示位置が変化せず、受付順位のより早い標識が消されると前記主受付順位表示手段（表示器２７ｄ）で表示する対となる受付順位のみが変化するようにしたもの」である点で一致するが、上述したとおり、引用発明２における信号処理は、送信器の数が、主標識表示手段（表示部位３１）の数以下の場合において、個々の主標識表示手段（表示部位３１）と一つの送信器とを１対１に対応させて行うものであり、本件発明４（本件発明１乃至３を引用するものである。）のように、送信器の数が、主標識表示手段の数より多い場合において、主標識表示手段が設けられた個数までの受付順位の早い標識を前記主標識表示手段で表示するようにするとともに、受付順位のより早い標識およびその受付順位の表示が消されると主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示するようにしたものでない。
　また、引用発明３は、上述したとおり、副標識表示手段を備え、信号処理手段を「主標識表示手段の個数よりも受付順位の遅い全ての標識を前記副標識表示手段で順次にスクロール表示するように構成」することを教示するのみであり、引用発明３が、上記本件発明４における表示のしかたについて示唆しているとは言えない。
　したがって、本件発明４が、引用発明２及び３に基いて、当業者が容易に発明をすることができたものと言うことはできない。
　
． むすび
　以上のとおりであるから、特許異議申立ての理由及び証拠によっては、本件発明１乃至４についての特許を取り消すことはできない。
　また、他に本件発明１乃至４についての特許を取り消すべき理由を発見しない。
　よって、結論のとおり決定する。
【異議決定日】
平成１４年７月１８日（２００２．７．１８）
【訂正の要旨】
　特許第３１２００５７号の明細書中特許請求の範囲請求項１乃至３、ならびに、同明細書中段落【０００５】乃至【０００７】に、「複数対の主標識表示手段および主受付順位表示手段」、「前記主標識表示手段が設けられた個数までの受付順位の早い標識およびその受付順位を前記主標識表示手段および主受付順位表示手段でそれぞれ表示」とあるのを、特許請求の範囲の減縮、明りょうでない記載の釈明を目的として、それぞれ、「前記送信器の台数よりも少ない複数対の主標識表示手段および主受付順位表示手段」、「前記主標識表示手段が設けられた個数までの受付順位の早い標識およびその受付順位を前記主標識表示手段および主受付順位表示手段でそれぞれ表示し、しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示」と訂正し、同明細書中請求項４、７、８および９、ならびに、段落【０００８】、【００１１】、【００１２】および【００１３】に、「前期」とあるのを（それぞれ、４カ所、３カ所、２カ所および２カ所、ならびに、４カ所、３カ所、２カ所および２カ所）、誤記の訂正を目的として、「前記」と訂正し、同明細書中段落【００１４】、【００３２】に、「図１ないし図１０」、「表示されるので、、」とあるのを、誤記の訂正を目的として、それぞれ、「図１ないし図１１」、「表示されるので、」と訂正し、同明細書中段落【００３１】の「その記憶も容易である。」の後に、明りょうでない記載の釈明を目的として、「そして、主標識表示手段に表示された標識が消されると、消された標識よりも受付順位の遅い標識の受付順位が１つずつ繰り上げて表示され、現在の優先順位が表示される。また、主標識表示手段に表示されていない標識があれば、消された主標識表示手段および主受付順位表示手段で表示される。」を加入する。
（５４）【発明の名称】
呼び出し表示装置
（５７）【特許請求の範囲】
　【請求項１】それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、前記送信器の台数よりも少ない複数対の主標識表示手段および主受付順位表示手段と、前記標識データと受付順位データまたはこれらに対応したデータを記憶する記憶手段と、信号処理手段とを設け、前記信号処理手段は、前記送信器から送出された前記標識データが未だ前記記憶手段に記憶されていなければこれに受付順位データを付けて前記標識データとともにまたはこれらに対応したデータを前記記憶手段に記憶させ、さらに前記記憶手段に記憶されている標識データと受付順位データまたはこれらに対応するデータのうち、前記主標識表示手段が設けられた個数までの受付順位の早い標識およびその受付順位を前記主標識表示手段および主受付順位表示手段でそれぞれ表示し、しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示するように構成したことを特徴とする呼び出し表示装置。
　【請求項２】それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、前記送信器の台数よりも少ない複数対の主標識表示手段および主受付順位表示手段と、１対の副標識表示手段および副受付順位表示手段と、前記標識データと受付順位データまたはこれらに対応したデータを記憶する記憶手段と、信号処理手段とを設け、前記信号処理手段は、前記送信器から送出された前記標識データが未だ前記記憶手段に記憶されていなければこれに受付順位データを付けて前記標識データとともにまたはこれらに対応したデータを前記記憶手段に記憶させ、さらに前記記憶手段に記憶されている標識データと受付順位データまたはこれらに対応するデータのうち、前記主標識表示手段が設けられた個数までの受付順位の早い標識およびその受付順位を前記主標識表示手段および主受付順位表示手段でそれぞれ表示し、しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示し、前記主標識表示手段の個数よりも受付順位の遅い全ての標識およびその受付順位を前記副標識表示手段および副受付順位表示手段で順次にスクロール表示するように構成したことを特徴とする呼び出し表示装置。
　【請求項３】それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、前記送信器の台数よりも少ない複数対の主標識表示手段および主受付順位表示手段と、１つの点灯表示手段と、前記標識データと受付順位データまたはこれらに対応したデータを記憶する記憶手段と、信号処理手段とを設け、前記信号処理手段は、前記送信器から送出された前記標識データが未だ前記記憶手段に記憶されていなければこれに受付順位データを付けて前記標識データとともにまたはこれらに対応したデータを前記記憶手段に記憶させ、さらに前記記憶手段に記憶されている標識データと受付順位データまたはこれらに対応するデータのうち、前記主標識表示手段が設けられた個数までの受付順位の早い標識およびその受付順位を前記主標識表示手段および主受付順位表示手段でそれぞれ表示し、しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示し、前記主標識表示手段の個数よりも受付順位の遅い標識データがあれば、前記点灯表示手段を点灯表示するように構成したことを特徴とする呼び出し表示装置。
　【請求項４】請求項１ないし３記載のいずれかの呼び出し表示装置において、前記複数の主標識表示手段に対応させてそれぞれ異なる主取消コードを含む信号を操作により送出する複数の主取消スイッチを有する取消器を備え、前記主取消コードを含む信号を前記受信器で受信すると、前記信号処理手段は、対応する前記主標識表示手段および主受付順位表示手段に表示される前記標識および受付順位の表示を消し、さらに前記記憶手段の該当するデータを消去するとともに該データより受付順位の遅い標識データに対してその受付順位を１つづつ繰り上げ、そして前記主標識表示手段に表示されていない標識があれば、そのうちの最も早い受付順位の標識およびその受付順位を前記表示が消された前記主標識表示手段および主受付順位表示手段に表示するように構成したことを特徴とする呼び出し表示装置。
　【請求項５】請求項２記載の呼び出し表示装置において、前記副標識表示手段および副受付順位表示手段のスクロール表示が停止された状態で、前記副標識表示手段に表示されている標識を取り消す副取消コードを含む信号を副取消スイッチの操作で送出する取消器を備え、前記受信器の前記信号処理手段は、前記副取消コードを受信すると、前記副標識表示手段および副受付順位表示手段がスクロール表示していればこれを停止させ、またスクロール表示が停止した状態であれば前記副標識表示手段および副受付順位表示手段で表示している標識および受付順位を消し、さらに前記記憶手段の該当するデータを消去するとともに、前記記憶手段に記憶されていて当該データよりも受付順位の遅い標識データに対してその受付順位を１つづつ繰り上げるように構成したことを特徴とする呼び出し表示装置。
　【請求項６】請求項５記載の呼び出し表示装置において、前記取消器に手動操作スイッチを２つ設け、前記副標識表示手段および副受付順位表示手段がスクロール表示されている状態でいずれの前記手動操作スイッチを操作してもスクロール表示が停止するようになし、スクロール表示が停止した状態で一方の前記手動操作スイッチを操作すると前記副標識表示手段に表示される標識より受付順位が１つ早い標識およびその受付順位の表示に切り換え、他方の前記手動操作スイッチを操作すると前記副標識表示手段に表示される標識より受付順位が１つ遅い標識およびその受付順位の表示に切り換えるように構成したことを特徴とする呼び出し表示装置。
　【請求項７】請求項５記載の呼び出し表示装置において、前記副標識表示手段および副受付順位表示手段のスクロール表示が停止されている状態で、前記副取消スイッチが操作されると、前記副標識表示手段および副受付順位表示手段で表示している標識および受付順位を消した後で、前記副標識表示手段および副受付順位表示手段のスクロール表示を再開するように構成したことを特徴とする呼び出し表示装置。
　【請求項８】請求項５または６記載の呼び出し表示装置において、前記副標識表示手段および副受付順位表示手段のスクロール表示が停止した状態で、前記副取消スイッチまたは前記手動操作スイッチのいずれもが操作されずに所定時間が経過すると、前記副標識表示手段および副受付順位表示手段のスクロール表示を再開するように構成したことを特徴とする呼び出し表示装置。
　【請求項９】請求項６記載の呼び出し表示装置において、前記副標識表示手段および副受付順位表示手段のスクロール表示が停止した状態で、前記２つの手動操作スイッチが同時に操作されると、前記副標識表示手段および副受付順位表示手段のスクロール表示を再開するように構成したことを特徴とする呼び出し表示装置。
【発明の詳細な説明】
　【０００１】
　【発明の属する技術分野】
　本発明は、レストランや銀行等において、客または客がサービスを要求しているテーブルや座席等を示す標識にその受付順位を付けて表示することにより、客に対してサービスすべき順位を店員や行員等に知らせるための呼び出し表示装置に関するものである。
　【０００２】
　【従来の技術】
　従来の呼び出し表示装置の一例として、特公昭１−２０４８０号公報に示される技術がある。かかる技術は、客または客がサービスを要求しているテーブルや座席等を標識で示し、これらの標識が受付順位に従って、標識表示手段に例えば左側から順次に表示され、サービスの提供が済んだ標識の表示が消され、この表示が消された標識より受付順位の遅い標識の表示が１つづつ順次に左側に移動される。この従来技術にあっては、サービスを要求する客等のうちで最も待ち時間の長い客等を示す標識が最も左側に表示され、店員等は客に対するサービス提供を左側に表示される標識のものをより優先的に行うことで、客等の待ち受け時間がなるべく均等となるようにすることができる。
　【０００３】
　【発明が解決しようとする課題】
　上述の従来技術にあっては、標識表示手段に表示されている標識が、サービスが提供されて消される度に、それよりも受付順位の遅いものが順次に１つづつ左側に移動されるので、表示されている標識の数が多くしかも頻繁に標識が消されると、受付順位の遅い標識は常に移動しているような状態となり、その読み取りが困難となる。また、同一の標識でも標識表示手段に表示される位置が順次に変化するため、表示されている標識を店員等が記憶しにくいという不具合もある。
　【０００４】
　本発明は、上述のごとき従来技術の不具合を改善すべくなされたもので、標識表示手段に表示されている間は、標識はその表示位置を変化させず、標識とともに表示される受付順位を早い受付順位の標識が消される度に１つづつ繰り上げるようにした呼び出し表示装置を提供することを目的とする。
　【０００５】
　【課題を解決するための手段】
　かかる目的を達成するために、本発明の呼び出し表示装置は、それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、前記送信器の台数よりも少ない複数対の主標識表示手段および主受付順位表示手段と、前記標識データと受付順位データまたはこれらに対応したデータを記憶する記憶手段と、信号処理手段とを設け、前記信号処理手段は、前記送信器から送出された前記標識データが未だ前記記憶手段に記憶されていなければこれに受付順位データを付けて前記標識データとともにまたはこれらに対応したデータを前記記憶手段に記憶させ、さらに前記記憶手段に記憶されている標識データと受付順位データまたはこれらに対応するデータのうち、前記主標識表示手段が設けられた個数までの受付順位の早い標識およびその受付順位を前記主標識表示手段および主受付順位表示手段でそれぞれ表示し、しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示するように構成されている。
　【０００６】
　また、本発明の呼び出し表示装置は、それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、前記送信器の台数よりも少ない複数対の主標識表示手段および主受付順位表示手段と、１対の副標識表示手段および副受付順位表示手段と、前記標識データと受付順位データまたはこれらに対応したデータを記憶する記憶手段と、信号処理手段とを設け、前記信号処理手段は、前記送信器から送出された前記標識データが未だ前記記憶手段に記憶されていなければこれに受付順位データを付けて前記標識データとともにまたはこれらに対応したデータを前記記憶手段に記憶させ、さらに前記記憶手段に記憶されている標識データと受付順位データまたはこれらに対応するデータのうち、前記主標識表示手段が設けられた個数までの受付順位の早い標識およびその受付順位を前記主標識表示手段および主受付順位表示手段でそれぞれ表示し、しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示し、前記主標識表示手段の個数よりも受付順位の遅い全ての標識およびその受付順位を前記副標識表示手段および副受付順位表示手段で順次にスクロール表示するように構成されても良い。
　【０００７】
　また、本発明の呼び出し表示装置は、それぞれに異なる標識データを含む信号を送信スイッチの操作によって送出する複数台の送信器と、前記信号を受信して前記標識データに対応する標識の表示を行う受信器とを備えた呼び出し表示装置であって、前記受信器に、前記送信器の台数よりも少ない複数対の主標識表示手段および主受付順位表示手段と、１つの点灯表示手段と、前記標識データと受付順位データまたはこれらに対応したデータを記憶する記憶手段と、信号処理手段とを設け、前記信号処理手段は、前記送信器から送出された前記標識データが未だ前記記憶手段に記憶されていなければこれに受付順位データを付けて前記標識データとともにまたはこれらに対応したデータを前記記憶手段に記憶させ、さらに前記記憶手段に記憶されている標識データと受付順位データまたはこれらに対応するデータのうち、前記主標識表示手段が設けられた個数までの受付順位の早い標識およびその受付順位を前記主標識表示手段および主受付順位表示手段でそれぞれ表示し、しかも前記主標識表示手段に表示された標識は１度表示されると消されるまでその表示位置が変化せず、受付順位のより早い標識およびその受付順位の表示が消されると前記主受付順位表示手段で表示する対となる受付順位を１つずつ繰り上げ、前記主標識表示手段に表示されていない標識があれば、それらの標識の受付順位を１つずつ繰り上げるとともに、そのうちの最も早い受付順位の標識およびその受付順位を前記表示が消された前記主標識表示手段および主受付順位表示手段に表示し、前記主標識表示手段の個数よりも受付順位の遅い標識データがあれば、前記点灯表示手段を点灯表示するように構成されても良い。
　【０００８】
　さらに、前記複数の主標識表示手段に対応させてそれぞれ異なる主取消コードを含む信号を操作により送出する複数の主取消スイッチを有する取消器を備え、前記主取消コードを含む信号を前記受信器で受信すると、前記信号処理手段は、対応する前記主標識表示手段および主受付順位表示手段に表示される前記標識および受付順位の表示を消し、さらに前記記憶手段の該当するデータを消去するとともに該データより受付順位の遅い標識データに対してその受付順位を１つづつ繰り上げ、そして前記主標識表示手段に表示されていない標識があれば、そのうちの最も早い受付順位の標識およびその受付順位を前記表示が消された前記主標識表示手段および主受付順位表示手段に表示するように構成することもできる。
　【０００９】
　そして、前記副標識表示手段および副受付順位表示手段のスクロール表示が停止された状態で、前記副標識表示手段に表示されている標識を取り消す副取消コードを含む信号を副取消スイッチの操作で送出する取消器を備え、前記受信器の前記信号処理手段は、前記副取消コードを受信すると、前記副標識手段および副受付順位表示手段がスクロール表示していればこれを停止させ、またスクロール表示が停止した状態であれば前記副標識手段および副受付順位表示手段で表示している標識および受付順位を消し、さらに前記記憶手段の該当するデータを消去するとともに、前記記憶手段に記憶されていて当該データよりも受付順位の遅い標識データに対してその受付順位を１つづつ繰り上げるように構成することもできる。
　【００１０】
　そしてさらに、前記取消器に手動操作スイッチを２つ設け、前記副標識表示手段および副受付順位表示手段がスクロール表示されている状態でいずれの前記手動操作スイッチを操作してもスクロール表示が停止するようになし、スクロール表示が停止した状態で一方の前記手動操作スイッチを操作すると前記副標識表示手段に表示される標識より受付順位が１つ早い標識およびその受付順位の表示に切り換え、他方の前記手動操作スイッチを操作すると前記副標識表示手段に表示される標識より受付順位が１つ遅い標識およびその受付順位の表示に切り換えるように構成することもできる。
　【００１１】
　そしてまた、前記副標識表示手段および副受付順位表示手段のスクロール表示が停止されている状態で、前記副取消スイッチが操作されると、前記副標識表示手段および副受付順位表示手段で表示している標識および受付順位を消した後で、前記副標識表示手段および副受付順位表示手段のスクロール表示を再開するように構成することも可能である。
　【００１２】
　またさらに、前記副標識表示手段および副受付順位表示手段のスクロール表示が停止した状態で、前記副取消スイッチまたは前記手動操作スイッチのいずれもが操作されずに所定時間が経過すると、前記副標識表示手段および副受付順位表示手段のスクロール表示を再開するように構成することも可能である。
　【００１３】
　さらに、前記副標識表示手段および副受付順位表示手段のスクロール表示が停止した状態で、前記２つの手動操作スイッチが同時に操作されると、前記副標識表示手段および副受付順位表示手段のスクロール表示を再開するように構成することも可能である。
　【００１４】
　【発明の実施の形態】
　以下、本発明の一実施例を図１ないし図１１を参照して説明する。図１は、本発明の呼び出し表示装置の一実施例の受信器のブロック回路図である。図２は、図１に示す受信器の表示パネルの図である。図３は、本発明の呼び出し表示装置の一実施例の送信器のブロック回路図である。図４は、本発明の呼び出し表示装置の一実施例の取消器のブロック回路図である。図５は、図３に示す送信器の操作パネルの図である。図６は、図４に示す取消器の操作パネルの図である。図７は、図１に示す受信器の標識データ等の記憶および消去動作の一例を示すフローチャートの一部分である。図８は、図１に示す受信器の標識データ等の記憶および消去動作の一例を示すフローチャートの他の一部分である。図９は、図１に示す受信器の標識データ等の記憶および消去動作の一例を示すフローチャートの残りの部分である。図７ないし図９によって１つのフローチャートが形成される。図１０は、図１に示す受信器の主標識表示手段および主受付順位表示手段の表示動作の一例を示すフローチャートである。図１１は、図１に示す受信器の副標識表示手段および副受付順位表示手段の表示動作の一例を示すフローチャートである。
　【００１５】
　まず、受信器１０の構造につき図１を参照して説明する。アンテナ１２に入来した信号が受信回路１４により受信復調され、さらに波形整形回路１６により復調された信号がデジタル信号に変換されて信号処理手段（中央演算装置）１８に与えられる。信号処理手段１８は、例えば４つの主記憶装置２０ａ、２０ｂ、２０ｃ、２０ｄと多数（例えば、標識が付与されたテーブルまたは座席の数から主記憶手段の数を減算した数）の副記憶手段２２ａ、２２ｂ…を有する。そして、信号処理手段１８は、信号に含まれる標識データ、減圧信号、送信コード、主取消コード、副取消コード等を判別し、送信コードが付与された標識データに対しては適宜に受付順位を設定し、受付順位の早いものから主記憶装置２０ａ、２０ｂ、２０ｃ、２０ｄおよび副記憶手段２２ａ、２２ｂ…にその受付順位データと標識データと減圧信号の有無および再呼び出しの有無を記憶させる。また、４つの主記憶装置２０ａ、２０ｂ、２０ｃ、２０ｄには対応して４対の受付順位を表示する主受付順位表示手段２４ａ、２４ｂ、２４ｃ、２４ｄと標識を表示する主標識表示手段２６ａ、２６ｂ、２６ｃ、２６ｄがそれぞれ設けられる。一方、多数の副記憶手段２２ａ、２２ｂ…から読み出される受付順位データおよび標識データを順次に切り換えるスクロール用切換回路２８が設けられ、その出力が与えられる１対の副受付順位表示手段３０と副標識表示手段３２が設けられ、受付順位および標識が順次にスクロール表示される。さらに、主記憶装置２０ａ、２０ｂ、２０ｃ、２０ｄおよび副記憶手段２２ａ、２２ｂ…の標識データの出力経路には１回路１接点のスイッチＳＷａと１回路２接点のスイッチＳＷｂがそれぞれに直列に介装されて、主標識表示手段２６ａ、２６ｂ、２６ｃ、２６ｄおよびスクロール用切換回路２８に接続される。スイッチＳＷａは、既に記憶されている標識データと一致する標識データと送信コードを含む信号が受信されると、すなわち再呼び出しがあると、その後は開閉が繰り返されて標識を点滅表示させるものである。また、スイッチＳＷｂは、一方の接点に標識データが与えられ、他方の接点に信号処理手段１８から「Ｌｏ」データが与えられていて、減圧信号を有する標識データに対して交互に接点切換が繰り返され、標識と「Ｌｏ」が交互に表示される。
　【００１６】
　そして、受信器１０の表示パネルは、図２に示すように、主標識表示手段２６ａ、２６ｂ、２６ｃ、２６ｄと主受付順位表示手段２４ａ、２４ｂ、２４ｃ、２４ｄがそれぞれ対として配設される。また、副標識表示手段３２と副受付順位表示手段３０も１対として配設される。なお、主標識表示手段２６ａ、２６ｂ、２６ｃ、２６ｄおよび副標識表示手段３２の大きさに比較して、主受付順位表示手段２４ａ、２４ｂ、２４ｃ、２４ｄおよび副受付順位表示手段３０は、その表示面積が小さく設定されている。
　【００１７】
　次に、送信器４０の構造につき図３を参照して説明する。内蔵される電池４２の出力端が、第１スイッチ４４と第２スイッチ４６に接続される。第１スイッチ４４の他端がレギュレータ４８と第１タイマー５０と第２タイマー５２および電圧検出回路５４に接続される。この第１スイッチ４４は、送信スイッチ５６の押圧操作により導通されるとともに、第１スイッチ４４が導通から遮断されると計時を開始する第２タイマー５２の出力信号によりその導通が所定時間だけ阻止されるように制御される。また、第２スイッチ４６は、第１スイッチ４４の導通により計時を開始する第１タイマー５０の出力によりその導通が所定時間だけ継続するように制御される。第２スイッチ４６の他端側は、送信回路５８の電圧入力端子に接続される。レギュレータ４８の他端は、リセット回路６０に接続されるとともに、信号処理手段（中央演算装置）６２の電圧入力端子に接続される。そして、この信号処理手段６２には、リセット回路６０よりリセット信号が与えられ、ディップスイッチ６４により適宜な標識コードが設定され、また電圧検出回路５４から電池４２の出力電圧が所定値以下であると減圧信号が与えられる。これらの標識コードと減圧信号および信号処理手段６２内で設定される送信コードを含む信号が、信号処理手段６２より送信回路５８に与えられ、アンテナ６６から送出される。なお、信号処理手段６２に減圧表示手段６８が接続されていて、電圧検出回路５４から減圧信号が出力されると、光または音等により適宜に表示するように構成しても良い。
　【００１８】
　かかる構成で、第１タイマー５０は、標識コード等を含む信号を送出するのに十分な時間だけ第２スイッチ４６を導通させ、送信回路５８が不必要に動作状態を維持することによる電力消費をなくして、電池４２の寿命を長くするように作用している。また、第２タイマー５２は、送信スイッチ５６の押圧操作におけるチャタリングまたは続けて複数回操作されても繰り返して信号が送出されないように、１度第１スイッチ４４が導通されると所定時間内は再導通がなされないように制御するものである。そして、第１スイッチ４４の導通により、信号処理手段６２がリセット回路６０でリセットされ、所定の信号を送信回路５８に送出するように作用する。
　【００１９】
　そして、送信器４０は図５に示すごとく、１つの送信スイッチ５６が操作パネルに設けられており、サービスを要求する客等が、この送信スイッチ５６を押圧操作することで、受信器１０側に標識データ等を含む信号が送出される。
　【００２０】
　さらに、取消器７０の構造につき図４を参照して説明する。内蔵される電池７２の出力端が、第１スイッチ７４と第２スイッチ７６に接続され、第１スイッチ７４の他端はレギュレータ７８とタイマー８０および電圧検出回路８２に接続される。レギュレータ７８の他端は、リセット回路８４に接続されるとともに信号処理手段（中央演算装置）８６の電圧入力端子に接続される。そして、この信号処理手段８６には、リセット回路８４よりリセット信号が与えられ、電圧検出回路８２から電池７２の出力電圧が所定値以下であると減圧信号が与えられ、また４つの主取消スイッチ８８ａ、８８ｂ、８８ｃ、８８ｄとＵＰスイッチ９０とＤＯＷＮスイッチ９２および副取消スイッチ９４が接続される。さらに、電池７２の出力電圧が所定値以下であると、信号処理手段８６は接続されている減圧表示手段９６を点灯させまたは音を発生させてこれを表示する。また、信号処理手段８６は主取消スイッチ８８ａ、８８ｂ、８８ｃ、８８ｄとＵＰスイッチ９０とＤＯＷＮスイッチ９２および副取消スイッチ９４の操作に応じたコードを含む信号を送信回路９８に与え、かかるコードを含む信号がアンテナ１００から送出される。なお、主取消スイッチ８８ａ、８８ｂ、８８ｃ、８８ｄとＵＰスイッチ９０とＤＯＷＮスイッチ９２および副取消スイッチ９４の操作により、種種のコードが信号処理手段８６に与えられるのと同時に、これに連動して第１スイッチ７４が導通される。ここで、ＵＰスイッチ９０とＤＯＷＮスイッチ９２は、受信器１０の副標識表示手段３２で表示される標識を受付順位の早いものまたは遅いものに順次に切り換えるための手動操作スイッチである。また、タイマー８０は、第１スイッチ７４の導通により計時を開始し、送信回路９８が信号を送出するのに必要な時間だけ第２スイッチ７６を導通させる。
　【００２１】
　かかる構成で、主取消スイッチ８８ａ、８８ｂ、８８ｃ、８８ｄは、受信器１０の主標識表示手段２６ａ、２６ｂ、２６ｃ、２６ｄに対応して設けられている。そして、主取消スイッチ８８ａ、８８ｂ、８８ｃ、８８ｄとＵＰスイッチ９０とＤＯＷＮスイッチ９２および副取消スイッチ９４のいずれかが操作されると、信号処理手段８６はリセットされて信号の送出がなされる。ここで、主取消スイッチ８８ａ、８８ｂ、８８ｃ、８８ｄのいずれかが操作されると、主標識表示手段２６ａ、２６ｂ、２６ｃ、２６ｄのうちの該当する標識が消される主取消コードが信号処理手段８６で設定されて送出される。また、ＵＰスイッチ９０とＤＯＷＮスイッチ９２および副取消スイッチ９４の操作で、信号処理手段８６によりＵＰコードまたはＤＯＷＮコードまたは副取消コードが設定されて送出される。さらに、ＵＰスイッチ９０とＤＯＷＮスイッチ９２を同時に押圧操作すると、同時操作コードが設定されて送出される。
　【００２２】
　そして、取消器７０は図６に示すごとく、取消器７０の操作パネルに主取消スイッチ８８ａ、８８ｂ、８８ｃ、８８ｄとＵＰスイッチ９０とＤＯＷＮスイッチ９２と副取消スイッチ９４および減圧表示手段９６が設けられている。この取消器７０は、例えば店員等が携帯し、要求されるサービスの提供を完了する毎に適宜に操作を行う。具体的には、受信器１０の主標識表示手段２６ａ、２６ｂ、２６ｃ、２６ｄに表示される標識の客に対するサービスが終了すると、主取消スイッチ８８ａ、８８ｂ、８８ｃ、８８ｄの該当するスイッチを押圧操作する。また、受信器１０の副標識表示手段３２にスクロール表示される標識を有する客等に対してサービスの提供が完了したならば、後述するごとくＵＰスイッチ９０またはＤＯＷＮスイッチ９２または副取消スイッチ９４のいずれかを操作して、まずスクロール表示を停止させ、次にＵＰスイッチ９０またはＤＯＷＮスイッチ９２のいずれかを操作して所望の標識を表示させ、さらに副取消スイッチ９４を操作することで該当する標識を消すことができる。
　【００２３】
　続いて、受信器１０の信号処理手段１８の標識データ等の記憶および消去動作につき、図７ないし図９を参照して説明する。まず、受信器１０の電源が投入されて稼働状態となると、主記憶装置２０ａ、２０ｂ、２０ｃ、２０ｄおよび副記憶手段２２ａ、２２ｂ…に記憶されている標識データ等を全て消去する（ステップ１）。そして、受信器１０は、送信器４０または取消器７０からのコード信号を含む信号の送出を待ち受け、コード信号を含む信号を受信すると（ステップ２）、このコード信号が送信器４０から送出された送信コードであるか取消器７０から送出された取消コードであるかを判別する（ステップ３）。送信コードであれば、それとともに含まれる標識データが既に主記憶装置２０ａ、２０ｂ、２０ｃ、２０ｄまたは副記憶手段２２ａ、２２ｂ…に記憶されて現存する標識データに一致するものが有るか否かを判別する（ステップ４）。もし、一致する標識データが未だ記憶されていなければ、既に記憶されている標識データの個数よりも１つだけ大きな受付順位を設定し（ステップ５）、さらに主記憶装置２０ａ、２０ｂ、２０ｃ、２０ｄのいずれかに空きがあるか否かを判別し（ステップ６）、もし空きが有れば該当する主記憶手段に標識データと受付順位データおよび減圧信号が有ればこれらを記憶し（ステップ７）、ステップ２に戻る。そして、ステップ６で主記憶装置２０ａ、２０ｂ、２０ｃ、２０ｄに空きがないと判別すると、副記憶手段２２ａ、２２ｂ…の空きに標識データ等を記憶し（ステップ８）、ステップ２に戻る。なお、ステップ４で受信された信号に含まれる標識データが既に記憶されている標識データと一致するならば、当該標識データが再び呼び出されたためであり、この再呼び出しを記憶するようになし（ステップ９）、ステップ２に戻る。
　【００２４】
　そして、ステップ３で受信された信号に取消コードが含まれることが判別されると、このコードが主取消コードであるか否かを判別する（ステップ１０）。主取消コードであれば、該当する主記憶手段にある標識データ等を消去し（ステップ１１）、消去された標識データよりも受付順位の遅い標識データが有れば、それらの受付順位を１つづつ繰り上げ（ステップ１２）、副記憶手段２２ａ、２２ｂ…に記憶された標識データがあればそのなかで最も早い受付順位の標識データ等を空いた主記憶手段に移転記憶させ（ステップ１３）、ステップ２に戻る。また、ステップ１０で、受信された信号に主取消コードが含まれなければ、ＵＰコードまたはＤＯＷＮコードが含まれているか否かを判別する（ステップ１４）。ＵＰコードまたはＤＯＷＮコードが含まれていれば、副標識表示手段３２および副受付順位表示手段３０がスクロール表示している状態にあるか否かを判別する（ステップ１５）。副標識表示手段３２および副受付順位表示手段３０がスクロール表示状態であればこれを停止する（ステップ１６）。また、ステップ１５で既にスクロール表示が停止されていれば、ＵＰコードであれば１つ早い受付順位の標識およびその受付順位を副標識表示手段３２および副受付順位表示手段３０に表示させ、ＤＯＷＮコードであれば１つ遅い受付順位の標識およびその受付順位を副標識表示手段３２および副受付順位表示手段３０に表示させる（ステップ１７）。ステップ１４で、ＵＰコードまたはＤＯＷＮコードが検出されなければ、ＵＰスイッチ９０とＤＯＷＮスイッチ９２が同時に操作されると送出される同時操作コードが含まれているか否かを判別する（ステップ１８）。ここで同時操作コードを検出すると、副標識表示手段３２および副受付順位表示手段３０がスクロール表示している状態にあるか否かを判別する（ステップ１９）。スクロール表示状態であれば、ステップ１６に移行する。ステップ１８で同時操作コードが検出されなければ、副取消コードが含まれるか否かを判別する（ステップ２０）。このステップ２０で副取消コードが検出されなければ、受信されたコード信号は誤りがあったものであり、かかるコード信号を無視してステップ２に戻る。さらに、ステップ２０で副取消コードが検出されたならば、副標識表示手段３２および副受付順位表示手段３０がスクロール表示状態であるか否かを判別し（ステップ２１）、スクロール表示状態であればステップ１６に移行する。ステップ２１で、既にスクロール表示が停止状態であれば、副標識表示手段３２に表示されている標識に対応する標識データ等を記憶している副記憶手段から当該データを消去し（ステップ２２）、消去した標識データよりも受付順位の遅い標識データがあれば、それらの受付順位を１つづつ繰り上げ（ステップ２３）、その後で副標識表示手段３２および副受付順位表示手段３０のスクロール表示を再開して（ステップ２４）、ステップ２に戻る。そして、ステップ１６でスクロール表示を停止し、またはステップ１７で受付順位を１つづつ違う標識を副標識表示手段３２で表示したならば、次のＵＰコードまたはＤＯＷＮコードまたは副取消コードのいずれもが受信されずに所定時間が経過すると（ステップ２５）、ステップ２４に移行して副標識表示手段３２のスクロール表示を再開する。また、ステップ１９で、既にスクロール表示が停止状態であれば、ステップ２４に移行して直ちにスクロール表示を再開する。
　【００２５】
　さらに、受信器１０の信号処理手段１８による主標識表示手段２６ａ、２６ｂ、２６ｃ、２６ｄなどの表示動作につき図１０を参照して説明する。まず、主記憶装置２０ａ、２０ｂ、２０ｃ、２０ｄに標識データが記憶されていれば（ステップ１）、当該データに減圧信号が付帯されているか否かが判別され（ステップ２）、さらに減圧信号の有無に関わらず再呼び出しされているか否かが判別される（ステップ３と４）。そして、減圧信号が付帯されるとともに再呼び出しがなされていると、スイッチＳＷａとスイッチＳＷｂがともに開閉および切換を繰り返し、標識と「Ｌｏ」を交互に切換表示するとともに標識を点滅表示する（ステップ５）。また、減圧信号は付帯されているが再呼び出しがなされていなければ、スイッチＳＷａを導通しスイッチＳＷｂの切換を繰り返し、標識と「Ｌｏ」を交互に切換表示する（ステップ６）。また、減圧信号は付帯されずに再呼び出しがなされていると、スイッチＳＷａの開閉を繰り返しスイッチＳＷｂを標識データ側に切り換えて、標識を点滅表示する（ステップ７）。また、減圧信号が付帯されずにまた再呼び出しもなされていなければ、スイッチＳＷａを導通しスイッチＳＷｂを標識データ側として、標識を連続的に表示する（ステップ８）。そして、主記憶装置２０ａ、２０ｂ、２０ｃ、２０ｄに記憶される標識データ毎に上述の表示制御がなされ、それぞれに対応する主標識表示手段２６ａ、２６ｂ、２６ｃ、２６ｄで表示する。なお、標識を主標識表示手段２６ａ、２６ｂ、２６ｃ、２６ｄで表示するのに対応させて受付順位を主受付順位表示手段２４ａ、２４ｂ、２４ｃ、２４ｄに表示することは勿論である。この受付順位の表示では、点滅表示等はなされない。
　【００２６】
　かかる構成の本発明の呼び出し表示装置にあっては、主標識表示手段２６ａ、２６ｂ、２６ｃ、２６ｄに表示された標識は１度表示されると消されるまでその表示位置が変化せず、受付順位のより早い標識が消されると対となる受付順位のみが変化する。そこで、主標識表示手段２６ａ、２６ｂ、２６ｃ、２６ｄに表示される標識はその表示位置が移動することがなく、その読み取りが容易であるとともに記憶し易い。さらに、主標識表示手段２６ａ、２６ｂ、２６ｃ、２６ｄに表示されない標識は、副受付順位表示手段３０と副標識表示手段３２によりスクロール表示がなされ、サービスが要求されている標識が全てその受付順位とともに表示される。しかも、副標識表示手段３２のスクロール表示を停止させて、副標識表示手段３２に表示された標識を消すこともできる。
　【００２７】
　図１２は、本発明の呼び出し表示装置の他の実施例の受信器のブロック回路図である。図１２において、図１と同じ回路ブロックには同じ符号を付けて重複する説明を省略する。
　【００２８】
　図１２に示す受信器２００と図１に示す受信器１０と相違するところは、スクロール用切換回路２８と副受付順位表示手段３０および副標識表示手段３２が省かれ、信号処理手段１８に点灯表示手段２０２のランプが設けられていることにある。この点灯表示手段２０２は、副記憶手段２２ａ、２２ｂ…に１つ以上の標識データが記憶されていると信号処理手段１８により点灯制御される。そこで、図１２に示すこの他の実施例の受信器２００にあっては、主標識表示手段２６ａ、２６ｂ、２６ｃ、２６ｄで表示されない標識データが存在すると、その標識は表示されないものの、その存在が点灯表示手段２０２の点灯により表示される。
　【００２９】
　なお、上記実施例において、再呼び出しされるとその後は消されるまで標識は点滅表示されるが、再呼び出しされてから所定時間だけ点滅表示させてその後は連続的に表示するようにしても良い。また、サービスの要求がなされて標識データが主記憶手段または副記憶手段に記憶され、または主標識表示手段等に表示されてから所定時間が経過すると、主取消コードまたは副取消コードの送出がなくても、自動的に標識データが記憶手段から消去されまたは表示が消されるようにしても良い。さらに、新たなサービスを要求する標識データを受信器で受信すると、音を発生させて店員等の注意を喚起するようにしても良い。またさらに、新たなサービスを要求する標識データを受信器で受信すると、この標識をしばらくの間点滅表示させて店員等の注意を喚起することもできる。
　【００３０】
　【発明の効果】
　以上の説明から明らかなように、本発明の呼び出し表示装置は、以下のごとき格別な効果を奏する。
　【００３１】
　請求項１記載の呼び出し表示装置にあっては、サービスが要求されて主標識表示手段に表示された標識は、サービスが提供されて消されるまで、その表示位置が移動せずに対となる主受付順位表示手段に表示される受付順位のみが変化するので、読み取りが容易であるとともに、その記憶も容易である。そして、主標識表示手段に表示された標識が消されると、消された標識よりも受付順位の遅い標識の受付順位が１つずつ繰り上げて表示され、現在の優先順位が表示される。また、主標識表示手段に表示されていない標識があれば、消された主標識表示手段および主受付順位表示手段で表示される。
　【００３２】
　請求項２記載の呼び出し表示装置にあっては、サービスが要求されて主標識表示手段に表示されていない標識データが、１つの副標識表示手段によりスクロール表示されるので、サービスが要求されている全ての標識を表示することができる。そして、請求項１記載の呼び出し表示装置と同様に、主標識表示手段に表示された標識は、サービスが提供されて消されるまでその表示位置が移動せずに対となる主受付順位表示手段に表示される受付順位のみが変化するので、読み取りが容易であるとともに、その記憶も容易である。
　【００３３】
　また、請求項３記載の呼び出し表示装置にあっては、サービスが要求されて主標識表示手段に表示されていない標識データがあれば、点灯表示手段が点灯されてその存在が表示される。そして、請求項１記載の呼び出し表示装置と同様に、主標識表示手段に表示された標識は、サービスが提供されて消されるまでその表示位置が移動せずに対となる受付順位表位手段に表示される受付順位のみが変化するので、読み取りが容易であるとともに、その記憶も容易である。
　【００３４】
　さらに、請求項４記載の呼び出し表示装置にあっては、取消器の主取消スイッチの操作により、該当する主標識表示手段に表示される標識を簡単に消すことができる。そして、消された標識より受付順位の遅い標識の受付順位が１つづつ繰り上げて表示され、現在の優先順位が表示される。
　【００３５】
　そして、請求項５記載の呼び出し表示装置にあっては、副標識表示手段にスクロール表示される標識を、そのスクロール表示を停止させてさらに消すことができ、サービスが要求されている全ての標識に対して、サービスの提供が済めばこれを消すことができる。
　【００３６】
　そしてさらに、請求項６記載の呼び出し表示装置にあっては、２つ設けた手動操作スイッチのいずれかを操作することにより、副標識表示手段に表示される標識をより受付順位の早いものまたは遅いものへと順次に切換表示することができ、所望の標識を表示させることができる。
　【００３７】
　そしてまた、請求項７または８記載の呼び出し表示装置にあっては、副標識表示手段のスクロール表示を停止した状態で副取消スイッチを操作して表示されていた標識を消し、または副標識表示手段のスクロール表示を停止した状態で副取消スイッチまたは手動操作スイッチのいずれもが操作されずに所定時間が経過すると、スクロール表示を再開させるので、いたずらに副標識表示手段のスクロール表示を停止させるようなことがない。
　【００３８】
　さらに、請求項９記載の呼び出し表示装置にあっては、副標識表示手段のスクロール表示を停止した状態で、２つの手動操作スイッチを同時に操作することで、直ちに副標識表示手段のスクロール表示を再開させるので、標識を消さない場合等に不必要に長い間スクロール表示を停止させなくても良い。
【図面の簡単な説明】
　【図１】
　本発明の呼び出し表示装置の一実施例の受信器のブロック回路図である。
　【図２】
　図１に示す受信器の表示パネルの図である。
　【図３】
　本発明の呼び出し表示装置の一実施例の送信器のブロック回路図である。
　【図４】
　本発明の呼び出し表示装置の一実施例の取消器のブロック回路図である。
　【図５】
　図３に示す送信器の操作パネルの図である。
　【図６】
　図４に示す取消器の操作パネルの図である。
　【図７】
　図１に示す受信器の標識データ等の記憶および消去動作の一例を示すフローチャートの一部分である。
　【図８】
　図１に示す受信器の標識データ等の記憶および消去動作の一例を示すフローチャートの他の一部分である。
　【図９】
　図１に示す受信器の標識データ等の記憶および消去動作の一例を示すフローチャートの残りの部分である。
　【図１０】
　図１に示す受信器の主標識表示手段および主受付順位表示手段の表示動作の一例を示すフローチャートである。
　【図１１】
　図１に示す受信器の副標識表示手段および副受付順位表示手段の表示動作の一例を示すフローチャートである。
　【図１２】
　本発明の呼び出し表示装置の他の実施例の受信器のブロック回路図である。
　【符号の説明】
　１０、２００　受信器
　１８，６２，８６　信号処理手段
　２０ａ、２０ｂ、２０ｃ、２０ｄ　主記憶装置
　２２ａ、２２ｂ　副記憶手段
　２４ａ、２４ｂ、２４ｃ、２４ｄ　主受付順位表示手段
　２６ａ、２６ｂ、２６ｃ、２６ｄ　主標識表示手段
　２８　スクロール用切換回路
　３０　副受付順位表示手段
　３２　副標識表示手段
　４０　送信器
　５６　送信スイッチ
　７０　取消器
　８８ａ、８８ｂ、８８ｃ、８８ｄ　主取消スイッチ
　９０　ＵＰスイッチ
　９２　ＤＯＷＮスイッチ
　９４　副取消スイッチ
　２０２　点灯表示手段